(57)【要約】      （修正有）【課題】振動（衝撃）及び／又は耐久性に優れた振動吸収兼補強板と、この振動吸収兼補強板を埋設したスノーボードを提供する。【解決手段】スノーボード本体１に取付ける振動吸収兼補強板３であって、振動吸収兼補強板は、アルミ、ステンレス、複合材等の鋼材と、ゴム、スポンジ等の弾性体との複合構造で、センターにビンディング取付け板を嵌入できる孔を開設し、また振動吸収兼補強板の前後方向の自由端側に、振動吸収兼補強板に弾性を付与する切欠き部を開設する構成とした。【選択図】図１
2007307350.tif 000002
【特許請求の範囲】
【請求項１】
スノーボード本体に取付けられる振動吸収兼補強板であって、
この振動吸収兼補強板は、アルミ、ステンレス、複合材等の鋼材と、ゴム、スポンジ等の弾性体とでなる複合構造であり、そのセンターにビンディング取付け板を嵌入できる孔を開設し、またこの振動吸収兼補強板の前後方向の自由端側に、当該振動吸収兼補強板に弾性を付与する切欠き部を開設する構成としたスノーボードの振動吸収兼補強板。
【請求項２】
請求項１に記載のスノーボードの振動吸収兼補強板であって、
このスノーボード本体に設けた振動吸収兼補強板の厚みを、前記ビンディング取付け板の厚みより若干薄く構成したスノーボードの振動吸収兼補強板。
【請求項３】
請求項１に記載のスノーボードの振動吸収兼補強板であって、
この振動吸収兼補強板を二枚に区画し、この二枚の振動吸収兼補強板を、前記スノーボードのビンディング部位に、それぞれ区画して設置する構成としたスノーボードの振動吸収兼補強板。
【請求項４】
請求項１に記載のスノーボードの振動吸収兼補強板であって、
この振動吸収兼補強板を、一枚構造とし、この振動吸収兼補強板を、前記スノーボードのビンディング部位に、差渡し設置する構成としたスノーボードの振動吸収兼補強板。
【請求項５】
請求項３、又は請求項４に記載のスノーボードの振動吸収兼補強板であって、
この振動吸収兼補強板の前後方向の自由端側に、略凹部形状の切欠き部を形成し、細幅帯部を形成し、またスノーボード本体の略中央に略楕円形状の孔を形成する構成としたスノーボードの振動吸収兼補強板である。
【請求項６】
スノーボード本体基部に、アルミ、ステンレス、複合材等の鋼材と、ゴム、スポンジ等の弾性体でなる振動吸収兼補強板を設け、この振動吸収兼補強板の上方にスノーボード本体表面部を設け、この本体表面部にビンディング取付け板を嵌入できる孔を開設したスノーボードであって、
この振動吸収兼補強板の前後方向の自由端側に、当該振動吸収兼補強板に弾性を付与し、かつその前後方向において、長短の長さの切欠き部を開設する構成としたスノーボード。
【請求項７】
請求項６に記載のスノーボードであって、
この振動吸収兼補強板を、二枚の区画構造とする構成としたスノーボード。
【請求項８】
請求項６に記載のスノーボードであって、
この振動吸収兼補強板を、一枚構造とする構成としたスノーボード。
【発明の詳細な説明】
【技術分野】
【０００１】
本発明は、振動（衝撃）及び／又は耐久性に優れたスノーボードの振動吸収兼補強板と、この振動吸収兼補強板を埋設したスノーボードに関する。
【背景技術】
【０００２】
周知の如く、スノーボードの滑走（滑降）中は、地面及び／又は雪面（雪面とする）の凹凸、傾斜、ギャップ等の変化と、滑走者の姿勢等により、このスノーボードに対する振動（衝撃）は区々であり、場合によっては、その振動の程度は計り知れない。それがために、スノーボードの破損、場合により、怪我、殺傷等の人身事故の発生等の由々しき問題も発生する可能性がある。またスノーボードを撓ませる等の技術を介して滑走し、その滑走方向の変更、調節等を図ることで、滑走に基づく、スピード感・爽快感の達成と、走行姿勢・スピード等が確保できる。
【０００３】
このような使用を図る場合には、スノーボードの強靭性と、復帰性（戻り）と、振動吸収（衝撃吸収）性等が要求される。それがために、このスノーボードに振動吸収（衝撃吸収）手段を装着したり、また補強板を装着したりすることが一部で実行されている。そして、これに関する先行文献も数件見当たる。この先行文献を以下に説明する。
【０００４】
文献（１）は、特開２０００−６１０２２の「スキー板、スノーボードと靴の締め具との間に装着する復元力補助装置」がある。この発明は、スノーボードに装着される対のプラットホームであって、このプラットホームの中間に復元力ブロックを介在するとともに、この復元力ブロックに振動吸収又は復元力補助層を設け、この振動吸収又は復元力補助層を利用してビス止めする構成であり、雪面からの振動が付与されても、スノーボード及び／又は滑走者に対する振動の吸収と、このスノーボード及び／又は滑走者の保護、破損、怪我等を回避することを意図する。
【０００５】
また文献（２）は、特開２００６−４６０の「スノーボード用補強プレート及びスノーボード」がある。この発明は、スノーボードのトーション、フレックスを補強するためのスノーボード用補強プレートであって、ビンディングをスノーボードに取付ける取付用孔を備えた中央補強板と、この中央補強板の両自由側端（スノーボードの前進及び後進方向端）から延設された中央方向補強板と、前記中央補強板の両幅側端（スノーボードの幅方向端）から延設され、かつ前記自由側端に間隔を置いて対で設けた放射状補強板とからなる構成であり、スノーボードのフレックス及びトーションをスノーボードに適した補強にすること、またこの補強を介してスノーボードの強度の向上を図ること等を意図する。そして、この補強を介して大きな脚力でスノーボードを操作可能となり、また容易にターンを繰り返し可能となり有益であること等を意図する。
【０００６】
【特許文献１】特開２０００−６１０２２
【特許文献２】特開２００６−４６０
【発明の開示】
【発明が解決しようとする課題】
【０００７】
文献（１）は、スノーボード本体（原則として、本体とする）に、適宜間隔をおいてプラットホームを併設し、この間隔にビンディング取付け板（ビンディング取付け部材）を設ける構成である。確かに、本体に、適宜間隔をおいてプラットホームを併設することは便利であり、合理的である等の特徴を有する。しかし、この構成では、対のプラットホームに対する衝撃（振動）が区々になり易く、滑走者に思わぬ不具合を与えること、これが起因して転倒及び／又は事故が発生すること等が考えられる問題点がある。また本体に、適宜間隔をおいてプラットホームを併設することは便利であるが、取付けに経験と、神経を要し、さらに使用中、また使用後のメンテナンスも注意する必要があり、殊のほか面倒であることが考えられる。尚、この文献（１）では、振動除去、復元力補助層をプラットホームの中間に設ける構成であり、一箇所の振動吸収に留まる可能性があり、この振動吸収をスノーボードの全体に好影響を与えるまでには至っていないものと考えられる。
【０００８】
また文献（２）は、スノーボード用補強プレート（原則として補強プレートとする）が、中央補強部と、中心方向補強部並びに放射状補強部で構成されているので、この補強プレートが、スノーボードから剥離した場合には、大変危険であり、怪我、殺傷等の思いもかけぬ人身事故を引き起こす虞がある。またこの文献（２）では、単なる補強板の概念（荷重に対する備え）であって、振動吸収の効果は、期待できなく、一面的な改良に留まっているものと考えられる。尚、この文献（２）は、［０００５］に「ターン時において、ターンをし易いように撓んだり捻れたりし難いため、初級のスノーボーダーにとっては、大きなフレックス及びトーションのスノーボードはターン時において操作し難いものである」との記述があるが、かえって、スノーボートはこのような状況においては、雪面に馴染んで変化する構成を備えているほうが、安全性、技術の向上等に有益であると考えられる。従って、スノーボードの補強のみを意図する構成は、少なからず問題を抱えているものと思われ、その改良の余地がある。
【課題を解決するための手段】
【０００９】
請求項１の発明は、スノーボード本体（本体とする）に振動吸収兼補強板を取付けることで、各雪面の形態に対応して、本体にかかる荷重（捻り、撓み、破損等）、振動（衝撃）に対して有効に機能すること、滑走者に対する荷重、振動等の外的要件による不具合を解消すること、また前述の特徴を利用し、滑走技術の向上と、スキー競技をエンジョイすること等を意図する。
【００１０】
また請求項１の発明は、本体に振動吸収兼補強板を取付けることで、スノーボードの強度、耐久性等の向上と、過酷な使用においても、これらの条件に対応可能とすること等を意図する。
【００１１】
そして、請求項１の発明は、本体に簡易、かつ確実に取付けて、何人も、本発明の特徴を達成し、その効果を有効利用できるスノーボードの振動吸収兼補強板及び／又は振動吸収兼補強板を備えたスノーボードを提供することを意図する。
【００１２】
請求項１は、本体に取付けられる振動吸収兼補強板であって、
この振動吸収兼補強板は、アルミ、ステンレス、複合材等の鋼材と、ゴム、スポンジ等の弾性体とでなる複合構造であり、そのセンターにビンディング取付け板を嵌入できる孔を開設し、またこの振動吸収兼補強板の前後方向の自由端側に、当該振動吸収兼補強板に弾性を付与する切欠き部を開設する構成としたスノーボードの振動吸収兼補強板である。
【００１３】
請求項２の発明は、請求項１の目的を達成すること、この目的を達成するのに最適な振動吸収兼補強板を提供することを意図する。
【００１４】
請求項２は、請求項１に記載のスノーボードの振動吸収兼補強板であって、
この本体に設けた振動吸収兼補強板の厚みを、前記ビンディング取付け板の厚みより若干薄く構成したスノーボードの振動吸収兼補強板である。
【００１５】
請求項３の発明は、請求項１の目的を達成すること、この目的を達成するのに最適な分割方式の振動吸収兼補強板を提供することを意図する。
【００１６】
請求項３は、請求項１に記載のスノーボードの振動吸収兼補強板であって、
この振動吸収兼補強板を二枚に区画し、この二枚の振動吸収兼補強板を、前記スノーボードのビンディング部位に、それぞれ区画して設置する構成としたスノーボードの振動吸収兼補強板である。
【００１７】
請求項４の発明は、請求項１の目的を達成すること、この目的を達成するのに最適で、簡易な振動吸収兼補強板を提供することを意図する。
【００１８】
請求項４は、請求項１に記載のスノーボードの振動吸収兼補強板であって、
この振動吸収兼補強板を、一枚構造とし、この振動吸収兼補強板を、前記スノーボードのビンディング部位に、差渡し設置する構成としたスノーボードの振動吸収兼補強板である。
【００１９】
請求項５の発明は、請求項３、又は請求項４の目的を達成すること、この目的を達成するのに最適で、弾性的で振動の吸収が可能な振動吸収兼補強板を提供することを意図する。
【００２０】
請求項５は、請求項３、又は請求項４に記載のスノーボードの振動吸収兼補強板であって、
この振動吸収兼補強板の自由端側に、略凹部形状の切欠き部を形成し、細幅帯部を形成し、また本体の略中央に略楕円形状の孔を形成する構成としたスノーボードの振動吸収兼補強板である。
【００２１】
請求項６の発明は、本体に埋設するように振動吸収兼補強板を取付けることで、各雪面の形態に対応して、本体にかかる荷重（捻り、撓み、破損等）、振動（衝撃）に対して有効に機能すること、滑走者に対する荷重、振動等の外的要件による不具合を解消すること、前述の特徴を利用し、例えば、滑走技術の向上と、スキー競技をエンジョイすること等を意図する。
【００２２】
また請求項６の発明は、本体に埋設するように振動吸収兼補強板を取付けることで、スノーボードの強度、耐久性等の向上と、過酷な使用においても、これらの条件に対応可能とすること等を意図する。
【００２３】
請求項６は、スノーボード本体基部に、アルミ、ステンレス、複合材等の鋼材と、ゴム、スポンジ等の弾性体でなる振動吸収兼補強板を設け、この振動吸収兼補強板の上方にスノーボード本体表面部を設け、この本体表面部にビンディング取付け板を嵌入できる孔を開設したスノーボードであって、
この振動吸収兼補強板の前後方向の自由端側に、当該振動吸収兼補強板に弾性を付与し、かつその前後方向において、長短の長さの切欠き部を開設する構成としたスノーボードである。
【００２４】
請求項７の発明は、請求項６の目的を達成すること、この目的を達成するのに最適なスノーボードを提供することを意図する。
【００２５】
請求項７は、請求項６に記載のスノーボードであって、
この振動吸収兼補強板を、二枚の区画構造とする構成としたスノーボードである。
【００２６】
請求項８の発明は、請求項６の目的を達成すること、この目的を達成するのに最適なスノーボードを提供することを意図する。
【００２７】
請求項８は、請求項６に記載のスノーボードであって、
この振動吸収兼補強板を、一枚構造とする構成としたスノーボードである。
【発明の効果】
【００２８】
請求項１の発明は、本体に取付けられる振動吸収兼補強板であって、
振動吸収兼補強板は、アルミ、ステンレス、複合材等の鋼材と、ゴム、スポンジ等の弾性体とでなる複合構造であり、センターにビンディング取付け板を嵌入できる孔を開設し、また振動吸収兼補強板の前後方向の自由端側に、振動吸収兼補強板に弾性を付与する切欠き部を開設する構成としたスノーボードの振動吸収兼補強板である。
【００２９】
従って、請求項１は、本体に振動吸収兼補強板を取付けることで、各雪面の形態に対応して、本体にかかる荷重（捻り、撓み、破損等）、振動に対して有効に機能できること、滑走者に対する荷重、振動等の外的要件による不具合を解消できること、前述の特徴を利用し、例えば、滑走技術の向上と、スキー競技をエンジョイできること等の特徴を有する。
【００３０】
また請求項１は、本体に振動吸収兼補強板を取付けることで、
スノーボードの強度、耐久性等の向上と、過酷な使用においても、これらの条件に対応可能となること等の特徴を有する。
【００３１】
そして、請求項１は、本体に簡易、かつ確実に取付けて、何人も、本発明の特徴を達成し、その効果を有効利用できるスノーボードの振動吸収兼補強板及び／又は振動吸収兼補強板を備えたスノーボードを提供できること等の特徴を有する。
【００３２】
請求項２の発明は、請求項１に記載のスノーボードの振動吸収兼補強板であって、
本体に設けた振動吸収兼補強板の厚みを、ビンディング取付け板の厚みより若干薄く構成したスノーボードの振動吸収兼補強板である。
【００３３】
従って、請求項２は、請求項１の目的を達成できること、この目的を達成するのに最適な振動吸収兼補強板を提供できること等の特徴を有する。
【００３４】
請求項３の発明は、請求項１に記載のスノーボードの振動吸収兼補強板であって、
振動吸収兼補強板を二枚に区画し、二枚の振動吸収兼補強板を、スノーボードのビンディング部位に、それぞれ区画して設置する構成としたスノーボードの振動吸収兼補強板である。
【００３５】
従って、請求項３は、請求項１の目的を達成できること、この目的を達成するのに最適な分割方式の振動吸収兼補強板を提供できること等の特徴を有する。
【００３６】
請求項４の発明は、請求項１に記載のスノーボードの振動吸収兼補強板であって、
振動吸収兼補強板を、一枚構造とし、振動吸収兼補強板を、スノーボードのビンディング部位に、差渡し設置する構成としたスノーボードの振動吸収兼補強板である。
【００３７】
従って、請求項４は、請求項１の目的を達成できること、この目的を達成するのに最適で、簡易な振動吸収兼補強板を提供できること等の特徴を有する。
【００３８】
請求項５の発明は、請求項３、又は請求項４に記載のスノーボードの振動吸収兼補強板であって、
振動吸収兼補強板の前後方向の自由端側に、略凹部形状の切欠き部を形成し、細幅帯部を形成し、また本体の略中央に略楕円形状の孔を形成する構成としたスノーボードの振動吸収兼補強板である。
【００３９】
従って、請求項５は、請求項３、又は請求項４の目的を達成できること、この目的を達成するのに最適で、弾性的で振動の吸収が可能な振動吸収兼補強板を提供できること等の特徴を有する。
【００４０】
請求項６の発明は、スノーボード本体基部に、アルミ、ステンレス、複合材等の鋼材と、ゴム、スポンジ等の弾性体でなる振動吸収兼補強板を設け、振動吸収兼補強板の上方にスノーボード本体表面部を設け、本体表面部にビンディング取付け板を嵌入できる孔を開設したスノーボードであって、
振動吸収兼補強板の前後方向の自由端側に、振動吸収兼補強板に弾性を付与し、かつその前後方向において、長短の長さの切欠き部を開設する構成としたスノーボードである。
【００４１】
従って、請求項６は、本体に埋設するように振動吸収兼補強板を取付けることで、各雪面の形態に対応して、本体にかかる荷重（捻り、撓み、破損等）、振動（衝撃）に対して有効に機能できること、滑走者に対する荷重、振動等の外的要件による不具合を解消できること、前述の特徴を利用し、例えば、滑走技術の向上と、スキー競技をエンジョイできること等の特徴を有する。
【００４２】
また請求項６は、本体に埋設するように振動吸収兼補強板を取付けることで、スノーボードの強度、耐久性等の向上と、過酷な使用においても、これらの条件に対応可能となること等の特徴を有する。
【００４３】
請求項７の発明は、請求項６に記載のスノーボードであって、
振動吸収兼補強板を、二枚の区画構造とする構成としたスノーボードである。
【００４４】
従って、請求項７は、請求項６の目的を達成できること、この目的を達成するのに最適なスノーボードを提供できること等の特徴を有する。
【００４５】
請求項８の発明は、請求項６に記載のスノーボードであって、
振動吸収兼補強板を、一枚構造とする構成としたスノーボードである。
【００４６】
従って、請求項８は、請求項６の目的を達成できること、この目的を達成するのに最適なスノーボードを提供できること等の特徴を有する。
【発明を実施するための最良の形態】
【００４７】
以下、本発明の実施の態様（形態）を説明する。
【００４８】
図面の説明をすると、図１〜図７は、本発明の第一の実施例を示しており、図１は全体の斜視図、図２は振動吸収兼補強板の拡大斜視図、図３はビンディング取付け板の拡大斜視図、図４はスノーボードの斜視図、図５はスノーボードに振動吸収兼補強板とビンディング取付け板を設けた一例を示した斜視図、図６は図５のＡ−Ａ断面図、図７は振動吸収兼補強板を一部欠截した拡大斜視図である。また図８〜図１０は、本発明の第二の実施例を示しており、図８は全体の斜視図、図９は他の一例の振動吸収兼補強板の拡大斜視図、図１０はスノーボードに振動吸収兼補強板とビンディング取付け板を設けた他の一例を示した斜視図である。そして、図１１〜図１３は、本発明の第三の実施例を示しており、図１１は全体の斜視図、図１２は図１１の要部の分解斜視図、図１３は図１１の要部のＡ−Ａ断面図である。図１４は、本発明の第四の実施例を示した要部の分解斜視図である。最後に、図１５は従来のスノーボードの一例を示した斜視図である。
【００４９】
以下、本発明の第一の実施例を、図１〜図７を基に説明する。この一例では、１はビンディング取付け用の複数の小孔２を、二箇所に有するスノーボード本体で、このスノーボード本体１は従来の構造と略同じである。そして、この一例では、スノーボード本体１に振動吸収兼補強板３とビンディング取付け板４を設けるが、この例では振動吸収兼補強板３を接着剤５で固止し、またビンディング取付け板４は前記小孔２に螺入した止ネジ６で固止する。この振動吸収兼補強板３は、アルミ、ステンレス、複合材等の鋼材でなる本体３００と、この本体３００の下方に設けられるゴム、スポンジ等の弾性体３０１とでなる複合構造であり、この弾性体３０１の下方に接着剤５を設け、この接着剤５を介して、この振動吸収兼補強板３をスノーボード本体１に固止する構成である。尚、接着剤５の剥離側に剥離紙８を設ける。そして、この振動吸収兼補強板３には、切欠き部３ａ、３ｂを設けて、その長手方向（矢印「イ」）の自由端に細幅帯部３０２、３０３を形成し、またその略中央部にビンディング取付け板４を嵌入できる孔３ｃを開設する。
【００５０】
またこの例では、スノーボード本体１の取付けに接着剤５を採用するが、他の固止手段、例えば、止め具、挾持具等の場合もあり得る。そして、剥離紙８は、接着剤５及び／又は弾性体３０１の保護にある。またこの振動吸収兼補強板３をスノーボード本体１に取付ける際に、剥離紙８を取外し、接着剤５を露出した状態で、この接着剤５の垂れ及び／又は機能の低下を回避しながら、取付ける。この取付けの際に、剥離紙８は有効である。
【００５１】
尚、この細幅帯部３０２、３０３を形成することで、この細幅帯部３０２、３０３と、振動吸収兼補強板３の略中心部の広幅な本体３００及び／又は該振動吸収兼補強板３に開設した孔３ｃとのバランス感覚が達成されることから、例えば、このスノーボード本体１の略全体の撓み及び／又は可撓性を確保できる。また図示しないが、切欠き部３ａ、３ｂを設けない構成では、前記スノーボード本体１の略全体の撓み及び／又は可撓性が幾分劣ることが考えられる。しかし、滑走に全く問題がないことは、実際の設置状況で確認済である。さらにこの一例では、振動吸収兼補強板３をスノーボード本体１の二箇所（ビンディング取付け箇所）に固止する構成及び／又は前述の細幅帯部３０２、３０３等を形成する構成であり、スノーボード本体１の略全体の撓み及び／又は可撓性の向上に極めて有効であり、また実際の設置状況で確認済である。またこの各細幅帯部３０２、３０３は、振動吸収兼補強板３の振動吸収を、徐々に、その中心に伝えることで、この振動吸収兼補強板３への衝撃の緩和と、確実かつスムーズな振動吸収が図れる等の利点がある。そして、この振動吸収兼補強板３の前後方向の自由端側の長さを、長短・幅員及び／又は形態（図示せず）を異にすることで、各人の好みと、スノーボードの特性を発揮できる有益性がある。そして、この各細幅帯部３０２、３０３が対の場合には、前述の特徴が、十分発揮できる。
【００５２】
また振動吸収兼補強板３の略中心部にはビンディング取付け板４を嵌入できる孔３ｃを開設し、そして、この部位に相当するスノーボード本体１に設けられた複数の小孔２と、この小孔２に螺入される複数の止ネジ６を介して、該部位にビンディング取付け板４を固止する。尚、この小孔２の構造は、図示の如く、二つの箇所に個別に設けたパターンであって、このパターンを利用して、好みの脚間を確保する。これにより、例えば、確実・容易・安全な滑走を確保し、また身体に易しい滑走が確保できる等の実用性がある。またこの二つのパターンを利用することで、多数な使用態様と、汎用性の向上等が確保できる。尚、図６の如く、振動吸収兼補強板３とビンディング取付け板４との間に空間Ｈを形成することで、この振動吸収兼補強板３及び／又はスノーボード本体１の振動吸収と、可撓性の確保、または捩れに対する有効性の確保等に役立つことから、積極的に設けることが望ましいが、限定されない。また、この振動吸収兼補強板３とスノーボード本体１との幅方向に、図示の如く、間隔Ｈ１を設ける構成の例では、前述の空間Ｈと同じような機能が発揮できる。
【００５３】
また図３に示すように、ビンディング取付け板４には、複数の止ネジ６を挿入するための孔４０が複数開設されている。この孔４０と止ネジ６とで、このビンディング取付け板４をスノーボード本体１に確実・強固に取付け得ること、またこのスノーボード本体１にビンディング取付け板４を取付ける際に、この取付け位置を自由に変更できること等の実用性がある。
【００５４】
そして、この図１〜図７に示した第一の実施例では、スノーボード本体１に分割された振動吸収兼補強板３をそれぞれ取付け、この各振動吸収兼補強板３の孔３ｃに、ビンディング取付け板４をそれぞれ嵌入し、この各ビンディング取付け板４は止ネジ６を介してスノーボード本体１にそれぞれ取付けられる。そして、この取付けた状態は、図６に示したＡ−Ａ断面図である。この各ビンディング取付け板４にビンディング１０がそれぞれ設けられる。この状態で、滑走すると、前述の如く、振動吸収兼補強板３の構成及び／又は形状とを介して振動吸収と、スノーボード本体１の補強が達成される効果がある。
【００５５】
次に、本発明の第二の実施例を、図８〜図１０を基に説明する。この一例で、１はビンディング取付け用の複数の小孔２を、二箇所に有するスノーボード本体で、このスノーボード本体１は従来の構造と略同じである。そして、この他の一例では、スノーボード本体１に振動吸収兼補強板１３とビンディング取付け板４を設けるが、この例では振動吸収兼補強板１３を接着剤１５で固止し、またビンディング取付け板４は前記小孔２に螺入した止ネジ６で固止する。この振動吸収兼補強板１３は、アルミ、ステンレス、複合材等の鋼材でなる本体１３００と、この本体１３００の下方に設けられるゴム、スポンジ等の弾性体１３０１とでなる複合構造であり、この弾性体１３０１の下方に接着剤１５を設け、この接着剤１５を介して、この振動吸収兼補強板１３をスノーボード本体１に固止する構成である。尚、接着剤１５の剥離側に剥離紙１８を設ける。そして、この振動吸収兼補強板１３には、切欠き部１３ａ、１３ｂを設けて、その自由端に細幅帯部１３０２、１３０３を形成し、またその略中央部にビンディング取付け板４を嵌入できる対の孔１３ｃを開設する。そして、この振動吸収兼補強板１３は一体構造であり、スノーボードに一枚取付けられる構成である。従って、前記対の孔１３ｃには各ビンディング取付け板４がそれぞれ嵌入され、かつ止ネジ６を介して固止される。そして、他の構成と、それぞれの効果は、前述の一例に略準ずる。
【００５６】
尚、この他の一例では、一体構成であるので、取付け及び／又は保管、メンテナンス等の簡易化が図れることは有り得る。またこの各細幅帯部１３０２、１３０３の特徴は、略前述の各細幅帯部３０２、３０３に準ずる。そして、この一例では、この振動吸収兼補強板１３は一体構造であり、構造の簡略化、コストの低廉化、又は破損の減少化等が考えられる。
【００５７】
そして、本発明の第三の実施例を、図１１〜図１３を基に説明する。この一例では、１はスノーボード本体で、このスノーボード本体１は、基本となる本体基部１００と、この本体基部１００の上方を被覆する本体表面部１０１とで構成する。そして、この本体表面部１０１には、ビンディング取付け用の複数の小孔２を開設する。またこの本体基部１００には、アルミ、ステンレス、複合材等の鋼材でなる振動吸収兼補強板３を埋設する凹部１０２を設ける。尚、この振動吸収兼補強板３を凹部１０２に埋設する構造には、例えば、振動吸収兼補強板３を、本体基部１００に、面一状態に設ける構造、また振動吸収兼補強板３を、本体基部１００の全体及び／又は一部に貼付ける構造等も含む。そして、この振動吸収兼補強板３の構造は、前述の例に準ずる。
【００５８】
この実施例では、凹部１０２（本体基部１００の表面を含む）に、分割された振動吸収兼補強板３を、接着、嵌合、固定等の手段を介してそれぞれ設け、この振動吸収兼補強板３の上方に、本体表面部１０１を、接着、嵌合、固定等の手段を介して設けてスノーボードを構成する。そして、この本体表面部１０１にビンディング１０を設ける。
【００５９】
そして、この実施例では、この振動吸収兼補強板３を、スノーボード本体１に埋設することで、この振動吸収兼補強板３への衝撃の緩和と、確実かつスムーズな振動吸収が図れ、きわめて有益であり、またこの振動吸収兼補強板３の剥離、破損等の問題が生じない。またスノーボードの体裁もよい。そして、この振動吸収兼補強板３及び／又は細幅帯部３０２、３０３、ビンディング取付け板４等の他の構造は、前述の例に準ずる。
【００６０】
さらに、本発明の第四の実施例を、図１４を基に説明する。この一例は、前述の第三の実施例に準ずる。その相違点は、振動吸収兼補強板１３が一体構造であり、前述の第二の例の振動吸収兼補強板１３に準ずる。換言すると、この一例は、第三の実施例と、第二の実施例の振動吸収兼補強板１３とを利用した構造である。従って、その特徴は、第三の実施例と、第二の実施例の振動吸収兼補強板１３とに準ずる。
【図面の簡単な説明】
【００６１】
【図１】図１は本発明の第一の実施例を示した全体の斜視図
【図２】図２は振動吸収兼補強板の拡大斜視図
【図３】図３はビンディング取付け板の拡大斜視図
【図４】図４はスノーボードの斜視図
【図５】図５はスノーボードに振動吸収兼補強板とビンディング取付け板を設けた一例を示した斜視図
【図６】図６は図５のＡ−Ａ断面図
【図７】図７は振動吸収兼補強板を一部欠截した拡大斜視図
【図８】図８は本発明の第二の実施例を示した全体の斜視図
【図９】図９は他の一例の振動吸収兼補強板の拡大斜視図
【図１０】図１０はスノーボードに振動吸収兼補強板とビンディング取付け板を設けた他の一例を示した拡大斜視図
【図１１】図１１は本発明の全体の第三の実施例を示した斜視図
【図１２】図１２は図１１の要部の分解斜視図
【図１３】図１３は図１１の要部のＡ−Ａ断面図
【図１４】図１４は、本発明の第四の実施例を示した要部の分解斜視図
【図１５】図１５は従来のスノーボードの一例を示した斜視図
【符号の説明】
【００６２】
１            スノーボード本体
１００        本体基部
１０１        本体表面部
１０２        凹部
２            小孔
３            振動吸収兼補強板
３００        本体
３０１        弾性体
３０２        細幅帯部
３０３        細幅帯部
３ａ          切欠き部
３ｂ          切欠き部
３ｃ          孔
４            ビンディング取付け板
４０          孔
５            接着剤
６            止ネジ
８            剥離紙
１０          ビンディング
１３          振動吸収兼補強板
１３００      本体
１３０１      弾性体
１３０２      細幅帯部
１３０３      細幅帯部
１３ａ        切欠き部
１３ｂ        切欠き部
１３ｃ        孔
１５          接着剤
１８          剥離紙
Ｈ            空間
Ｈ１          間隔
【図１】
2007307350.tif 000003
【図２】
2007307350.tif 000004
【図３】
2007307350.tif 000005
【図４】
2007307350.tif 000006
【図５】
2007307350.tif 000007
【図６】
2007307350.tif 000008
【図７】
2007307350.tif 000009
【図８】
2007307350.tif 000010
【図９】
2007307350.tif 000011
【図１０】
2007307350.tif 000012
【図１１】
2007307350.tif 000013
【図１２】
2007307350.tif 000014
【図１３】
2007307350.tif 000015
【図１４】
2007307350.tif 000016
【図１５】
2007307350.tif 000017
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
スノーボード本体に取付けられる振動吸収兼補強板は、アルミ、ステンレス、複合材等の鋼材と、ゴム、スポンジ等の弾性体とでなる複合構造であり、そのセンターにビンディング取付け板を嵌入できる孔を開設し、またこの振動吸収兼補強板の前後方向の自由端側に、当該振動吸収兼補強板に弾性を付与する切欠き部を開設する構成としたスノーボードの振動吸収兼補強板であって、
前記振動吸収兼補強板の孔とビンディング取付け板との間の短手方向において、空間を形成することを特徴としたスノーボードの振動吸収兼補強板。
【請求項２】
請求項１に記載のスノーボードの振動吸収兼補強板であって、
このスノーボード本体に設けた振動吸収兼補強板の厚みを、前記ビンディング取付け板の厚みより若干薄く構成したスノーボードの振動吸収兼補強板。
【請求項３】
請求項１に記載のスノーボードの振動吸収兼補強板であって、
この振動吸収兼補強板を二枚に区画し、この二枚の振動吸収兼補強板を、前記スノーボードのビンディング部位に、それぞれ区画して設置する構成としたスノーボードの振動吸収兼補強板。
【請求項４】
請求項１に記載のスノーボードの振動吸収兼補強板であって、
この振動吸収兼補強板を、一枚構造とし、この振動吸収兼補強板を、前記スノーボードのビンディング部位に、差渡し設置する構成としたスノーボードの振動吸収兼補強板。
【請求項５】
請求項３、又は請求項４に記載のスノーボードの振動吸収兼補強板であって、
この振動吸収兼補強板の前後方向の自由端側に、略凹部形状の切欠き部を形成し、細幅帯部を形成し、また振動吸収兼補強板の略中央に略楕円形状の孔を形成する構成としたスノーボードの振動吸収兼補強板である。
【請求項６】
スノーボード本体基部に、アルミ、ステンレス、複合材等の鋼材と、ゴム、スポンジ等の弾性体でなる振動吸収兼補強板を設け、この振動吸収兼補強板の上方にスノーボード本体表面部を設け、このスノーボード本体表面部にビンディングを取付ける小孔を開設したスノーボードであって、
この振動吸収兼補強板のセンターにビンディング取付け板を嵌入できる孔を開設し、またこの振動吸収兼補強板の前後方向の自由端側に、当該振動吸収兼補強板に弾性を付与し、かつその前後方向において、長短の長さの切欠き部を開設し、
また前記振動吸収兼補強板の孔とビンディング取付け板との間の短手方向において、空間を形成することを特徴としたスノーボード。
【請求項７】
請求項６に記載のスノーボードであって、
この振動吸収兼補強板を、二枚の区画構造とする構成としたスノーボード。
【請求項８】
請求項６に記載のスノーボードであって、
この振動吸収兼補強板を、一枚構造とする構成としたスノーボード。
【手続補正２】
【補正対象書類名】明細書
【補正対象項目名】全文
【補正方法】変更
【補正の内容】
【発明の詳細な説明】
【技術分野】
【０００１】
本発明は、振動（衝撃）及び／又は耐久性に優れたスノーボードの振動吸収兼補強板と、この振動吸収兼補強板を埋設したスノーボードに関する。
【背景技術】
【０００２】
周知の如く、スノーボードの滑走（滑降）中は、地面及び／又は雪面（雪面とする）の凹凸、傾斜、ギャップ等の変化と、滑走者の姿勢等により、このスノーボードに対する振動（衝撃）は区々であり、場合によっては、その振動の程度は計り知れない。それがために、スノーボードの破損、場合により、怪我、殺傷等の人身事故の発生等の由々しき問題も発生する可能性がある。またスノーボードを撓ませる等の技術を介して滑走し、その滑走方向の変更、調節等を図ることで、滑走に基づく、スピード感・爽快感の達成と、走行姿勢・スピード等が確保できる。
【０００３】
このような使用を図る場合には、スノーボードの強靭性と、復帰性（戻り）と、振動吸収（衝撃吸収）性等が要求される。それがために、このスノーボードに振動吸収（衝撃吸収）手段を装着したり、また補強板を装着したりすることが一部で実行されている。そして、これに関する先行文献も数件見当たる。この先行文献を以下に説明する。
【０００４】
文献（１）は、特開２０００−６１０２２の「スキー板、スノーボードと靴の締め具との間に装着する復元力補助装置」がある。この発明は、スノーボードに装着される対のプラットホームであって、このプラットホームの中間に復元力ブロックを介在するとともに、この復元力ブロックに振動吸収又は復元力補助層を設け、この振動吸収又は復元力補助層を利用してビス止めする構成であり、雪面からの振動が付与されても、スノーボード及び／又は滑走者に対する振動の吸収と、このスノーボード及び／又は滑走者の保護、破損、怪我等を回避することを意図する。
【０００５】
また文献（２）は、特開２００６−４６０の「スノーボード用補強プレート及びスノーボード」がある。この発明は、スノーボードのトーション、フレックスを補強するためのスノーボード用補強プレートであって、ビンディングをスノーボードに取付ける取付用孔を備えた中央補強板と、この中央補強板の両自由側端（スノーボードの前進及び後進方向端）から延設された中央方向補強板と、前記中央補強板の両幅側端（スノーボードの幅方向端）から延設され、かつ前記自由側端に間隔を置いて対で設けた放射状補強板とからなる構成であり、スノーボードのフレックス及びトーションをスノーボードに適した補強にすること、またこの補強を介してスノーボードの強度の向上を図ること等を意図する。そして、この補強を介して大きな脚力でスノーボードを操作可能となり、また容易にターンを繰り返し可能となり有益であること等を意図する。
【０００６】
【特許文献１】特開２０００−６１０２２
【特許文献２】特開２００６−４６０
【発明の開示】
【発明が解決しようとする課題】
【０００７】
文献（１）は、スノーボード本体（原則として、本体とする）に、適宜間隔をおいてプラットホームを併設し、この間隔にビンディング取付け板（ビンディング取付け部材）を設ける構成である。確かに、本体に、適宜間隔をおいてプラットホームを併設することは便利であり、合理的である等の特徴を有する。しかし、この構成では、対のプラットホームに対する衝撃（振動）が区々になり易く、滑走者に思わぬ不具合を与えること、これが起因して転倒及び／又は事故が発生すること等が考えられる問題点がある。また本体に、適宜間隔をおいてプラットホームを併設することは便利であるが、取付けに経験と、神経を要し、さらに使用中、また使用後のメンテナンスも注意する必要があり、殊のほか面倒であることが考えられる。尚、この文献（１）では、振動除去、復元力補助層をプラットホームの中間に設ける構成であり、一箇所の振動吸収に留まる可能性があり、この振動吸収をスノーボードの全体に好影響を与えるまでには至っていないものと考えられる。
【０００８】
また文献（２）は、スノーボード用補強プレート（原則として補強プレートとする）が、中央補強部と、中心方向補強部並びに放射状補強部で構成されているので、この補強プレートが、スノーボードから剥離した場合には、大変危険であり、怪我、殺傷等の思いもかけぬ人身事故を引き起こす虞がある。またこの文献（２）では、単なる補強板の概念（荷重に対する備え）であって、振動吸収の効果は、期待できなく、一面的な改良に留まっているものと考えられる。尚、この文献（２）は、［０００５］に「ターン時において、ターンをし易いように撓んだり捻れたりし難いため、初級のスノーボーダーにとっては、大きなフレックス及びトーションのスノーボードはターン時において操作し難いものである」との記述があるが、かえって、スノーボートはこのような状況においては、雪面に馴染んで変化する構成を備えているほうが、安全性、技術の向上等に有益であると考えられる。従って、スノーボードの補強のみを意図する構成は、少なからず問題を抱えているものと思われ、その改良の余地がある。
【課題を解決するための手段】
【０００９】
請求項１の発明は、スノーボード本体（本体とする）に振動吸収兼補強板を取付けることで、各雪面の形態に対応して、本体にかかる荷重（捻り、撓み、破損等）、振動（衝撃）に対して有効に機能すること、滑走者に対する荷重、振動等の外的要件による不具合を解消すること、また前述の特徴を利用し、滑走技術の向上と、スキー競技をエンジョイすること等を意図する。
【００１０】
また請求項１の発明は、本体に振動吸収兼補強板を取付けることで、スノーボードの強度、耐久性等の向上と、過酷な使用においても、これらの条件に対応可能とすること等を意図する。
【００１１】
そして、請求項１の発明は、本体に簡易、かつ確実に取付けて、何人も、本発明の特徴を達成し、その効果を有効利用できるスノーボードの振動吸収兼補強板及び／又は振動吸収兼補強板を備えたスノーボードを提供することを意図する。
【００１２】
請求項１は、スノーボード本体に取付けられる振動吸収兼補強板は、アルミ、ステンレス、複合材等の鋼材と、ゴム、スポンジ等の弾性体とでなる複合構造であり、そのセンターにビンディング取付け板を嵌入できる孔を開設し、またこの振動吸収兼補強板の前後方向の自由端側に、当該振動吸収兼補強板に弾性を付与する切欠き部を開設する構成としたスノーボードの振動吸収兼補強板であって、
前記振動吸収兼補強板の孔とビンディング取付け板との間の短手方向において、空間を形成することを特徴としたスノーボードの振動吸収兼補強板である。
【００１３】
請求項２の発明は、請求項１の目的を達成すること、この目的を達成するのに最適な振動吸収兼補強板を提供することを意図する。
【００１４】
請求項２は、請求項１に記載のスノーボードの振動吸収兼補強板であって、
この本体に設けた振動吸収兼補強板の厚みを、前記ビンディング取付け板の厚みより若干薄く構成したスノーボードの振動吸収兼補強板である。
【００１５】
請求項３の発明は、請求項１の目的を達成すること、この目的を達成するのに最適な分割方式の振動吸収兼補強板を提供することを意図する。
【００１６】
請求項３は、請求項１に記載のスノーボードの振動吸収兼補強板であって、
この振動吸収兼補強板を二枚に区画し、この二枚の振動吸収兼補強板を、前記スノーボードのビンディング部位に、それぞれ区画して設置する構成としたスノーボードの振動吸収兼補強板である。
【００１７】
請求項４の発明は、請求項１の目的を達成すること、この目的を達成するのに最適で、簡易な振動吸収兼補強板を提供することを意図する。
【００１８】
請求項４は、請求項１に記載のスノーボードの振動吸収兼補強板であって、
この振動吸収兼補強板を、一枚構造とし、この振動吸収兼補強板を、前記スノーボードのビンディング部位に、差渡し設置する構成としたスノーボードの振動吸収兼補強板である。
【００１９】
請求項５の発明は、請求項３、又は請求項４の目的を達成すること、この目的を達成するのに最適で、弾性的で振動の吸収が可能な振動吸収兼補強板を提供することを意図する。
【００２０】
請求項５は、請求項３、又は請求項４に記載のスノーボードの振動吸収兼補強板であって、
この振動吸収兼補強板の前後方向の自由端側に、略凹部形状の切欠き部を形成し、細幅帯部を形成し、また振動吸収兼補強板の略中央に略楕円形状の孔を形成する構成としたスノーボードの振動吸収兼補強板である。
【００２１】
請求項６の発明は、本体に埋設するように振動吸収兼補強板を取付けることで、各雪面の形態に対応して、本体にかかる荷重（捻り、撓み、破損等）、振動（衝撃）に対して有効に機能すること、滑走者に対する荷重、振動等の外的要件による不具合を解消すること、前述の特徴を利用し、例えば、滑走技術の向上と、スキー競技をエンジョイすること等を意図する。
【００２２】
また請求項６の発明は、本体に埋設するように振動吸収兼補強板を取付けることで、スノーボードの強度、耐久性等の向上と、過酷な使用においても、これらの条件に対応可能とすること等を意図する。
【００２３】
請求項６は、スノーボード本体基部に、アルミ、ステンレス、複合材等の鋼材と、ゴム、スポンジ等の弾性体でなる振動吸収兼補強板を設け、この振動吸収兼補強板の上方にスノーボード本体表面部を設け、このスノーボード本体表面部にビンディングを取付ける小孔を開設したスノーボードであって、
この振動吸収兼補強板のセンターにビンディング取付け板を嵌入できる孔を開設し、またこの振動吸収兼補強板の前後方向の自由端側に、当該振動吸収兼補強板に弾性を付与し、かつその前後方向において、長短の長さの切欠き部を開設し、
また前記振動吸収兼補強板の孔とビンディング取付け板との間の短手方向において、空間を形成することを特徴としたスノーボードである。
【００２４】
請求項７の発明は、請求項６の目的を達成すること、この目的を達成するのに最適なスノーボードを提供することを意図する。
【００２５】
請求項７は、請求項６に記載のスノーボードであって、
この振動吸収兼補強板を、二枚の区画構造とする構成としたスノーボードである。
【００２６】
請求項８の発明は、請求項６の目的を達成すること、この目的を達成するのに最適なスノーボードを提供することを意図する。
【００２７】
請求項８は、請求項６に記載のスノーボードであって、
この振動吸収兼補強板を、一枚構造とする構成としたスノーボードである。
【発明の効果】
【００２８】
請求項１の発明は、スノーボード本体に取付けられる振動吸収兼補強板は、アルミ、ステンレス、複合材等の鋼材と、ゴム、スポンジ等の弾性体とでなる複合構造であり、センターにビンディング取付け板を嵌入できる孔を開設し、また振動吸収兼補強板の前後方向の自由端側に、振動吸収兼補強板に弾性を付与する切欠き部を開設する構成としたスノーボードの振動吸収兼補強板であって、
振動吸収兼補強板の孔とビンディング取付け板との間の短手方向において、空間を形成するスノーボードの振動吸収兼補強板である。
【００２９】
従って、請求項１は、本体に振動吸収兼補強板を取付けることで、各雪面の形態に対応して、本体にかかる荷重（捻り、撓み、破損等）、振動に対して有効に機能できること、滑走者に対する荷重、振動等の外的要件による不具合を解消できること、前述の特徴を利用し、例えば、滑走技術の向上と、スキー競技をエンジョイできること等の特徴を有する。
【００３０】
また請求項１は、本体に振動吸収兼補強板を取付けることで、
スノーボードの強度、耐久性等の向上と、過酷な使用においても、これらの条件に対応可能となること等の特徴を有する。
【００３１】
そして、請求項１は、本体に簡易、かつ確実に取付けて、何人も、本発明の特徴を達成し、その効果を有効利用できるスノーボードの振動吸収兼補強板及び／又は振動吸収兼補強板を備えたスノーボードを提供できること等の特徴を有する。
【００３２】
請求項２の発明は、請求項１に記載のスノーボードの振動吸収兼補強板であって、
本体に設けた振動吸収兼補強板の厚みを、ビンディング取付け板の厚みより若干薄く構成したスノーボードの振動吸収兼補強板である。
【００３３】
従って、請求項２は、請求項１の目的を達成できること、この目的を達成するのに最適な振動吸収兼補強板を提供できること等の特徴を有する。
【００３４】
請求項３の発明は、請求項１に記載のスノーボードの振動吸収兼補強板であって、
振動吸収兼補強板を二枚に区画し、二枚の振動吸収兼補強板を、スノーボードのビンディング部位に、それぞれ区画して設置する構成としたスノーボードの振動吸収兼補強板である。
【００３５】
従って、請求項３は、請求項１の目的を達成できること、この目的を達成するのに最適な分割方式の振動吸収兼補強板を提供できること等の特徴を有する。
【００３６】
請求項４の発明は、請求項１に記載のスノーボードの振動吸収兼補強板であって、
振動吸収兼補強板を、一枚構造とし、振動吸収兼補強板を、スノーボードのビンディング部位に、差渡し設置する構成としたスノーボードの振動吸収兼補強板である。
【００３７】
従って、請求項４は、請求項１の目的を達成できること、この目的を達成するのに最適で、簡易な振動吸収兼補強板を提供できること等の特徴を有する。
【００３８】
請求項５の発明は、請求項３、又は請求項４に記載のスノーボードの振動吸収兼補強板であって、
振動吸収兼補強板の前後方向の自由端側に、略凹部形状の切欠き部を形成し、細幅帯部を形成し、また振動吸収兼補強板の略中央に略楕円形状の孔を形成する構成としたスノーボードの振動吸収兼補強板である。
【００３９】
従って、請求項５は、請求項３、又は請求項４の目的を達成できること、この目的を達成するのに最適で、弾性的で振動の吸収が可能な振動吸収兼補強板を提供できること等の特徴を有する。
【００４０】
請求項６の発明は、スノーボード本体基部に、アルミ、ステンレス、複合材等の鋼材と、ゴム、スポンジ等の弾性体でなる振動吸収兼補強板を設け、振動吸収兼補強板の上方にスノーボード本体表面部を設け、スノーボード本体表面部にビンディングを取付ける小孔を開設したスノーボードであって、
振動吸収兼補強板のセンターにビンディング取付け板を嵌入できる孔を開設し、また振動吸収兼補強板の前後方向の自由端側に、振動吸収兼補強板に弾性を付与し、かつその前後方向において、長短の長さの切欠き部を開設し、
また振動吸収兼補強板の孔とビンディング取付け板との間の短手方向において、空間を形成するスノーボードである。
【００４１】
従って、請求項６は、本体に埋設するように振動吸収兼補強板を取付けることで、各雪面の形態に対応して、本体にかかる荷重（捻り、撓み、破損等）、振動（衝撃）に対して有効に機能できること、滑走者に対する荷重、振動等の外的要件による不具合を解消できること、前述の特徴を利用し、例えば、滑走技術の向上と、スキー競技をエンジョイできること等の特徴を有する。
【００４２】
また請求項６は、本体に埋設するように振動吸収兼補強板を取付けることで、スノーボードの強度、耐久性等の向上と、過酷な使用においても、これらの条件に対応可能となること等の特徴を有する。
【００４３】
請求項７の発明は、請求項６に記載のスノーボードであって、
振動吸収兼補強板を、二枚の区画構造とする構成としたスノーボードである。
【００４４】
従って、請求項７は、請求項６の目的を達成できること、この目的を達成するのに最適なスノーボードを提供できること等の特徴を有する。
【００４５】
請求項８の発明は、請求項６に記載のスノーボードであって、
振動吸収兼補強板を、一枚構造とする構成としたスノーボードである。
【００４６】
従って、請求項８は、請求項６の目的を達成できること、この目的を達成するのに最適なスノーボードを提供できること等の特徴を有する。
【発明を実施するための最良の形態】
【００４７】
以下、本発明の実施の態様（形態）を説明する。
【００４８】
図面の説明をすると、図１〜図７は、本発明の第一の実施例を示しており、図１は全体の斜視図、図２は振動吸収兼補強板の拡大斜視図、図３はビンディング取付け板の拡大斜視図、図４はスノーボードの斜視図、図５はスノーボードに振動吸収兼補強板とビンディング取付け板を設けた一例を示した斜視図、図６は図５のＡ−Ａ断面図、図７は振動吸収兼補強板を一部欠截した拡大斜視図である。また図８〜図１０は、本発明の第二の実施例を示しており、図８は全体の斜視図、図９は他の一例の振動吸収兼補強板の拡大斜視図、図１０はスノーボードに振動吸収兼補強板とビンディング取付け板を設けた他の一例を示した斜視図である。そして、図１１〜図１３は、本発明の第三の実施例を示しており、図１１は全体の斜視図、図１２は図１１の要部の分解斜視図、図１３は図１１の要部のＡ−Ａ断面図である。図１４は、本発明の第四の実施例を示した要部の分解斜視図である。最後に、図１５は従来のスノーボードの一例を示した斜視図である。
【００４９】
以下、本発明の第一の実施例を、図１〜図７を基に説明する。この一例では、１はビンディング取付け用の複数の小孔２を、二箇所に有するスノーボード本体で、このスノーボード本体１は従来の構造と略同じである。そして、この一例では、スノーボード本体１に振動吸収兼補強板３とビンディング取付け板４を設けるが、この例では振動吸収兼補強板３を接着剤５で固止し、またビンディング取付け板４は前記小孔２に螺入した止ネジ６で固止する。この振動吸収兼補強板３は、アルミ、ステンレス、複合材等の鋼材でなる本体３００と、この本体３００の下方に設けられるゴム、スポンジ等の弾性体３０１とでなる複合構造であり、この弾性体３０１の下方に接着剤５を設け、この接着剤５を介して、この振動吸収兼補強板３をスノーボード本体１に固止する構成である。尚、接着剤５の剥離側に剥離紙８を設ける。そして、この振動吸収兼補強板３には、切欠き部３ａ、３ｂを設けて、その長手方向（矢印「イ」）の自由端に細幅帯部３０２、３０３を形成し、またその略中央部にビンディング取付け板４を嵌入できる孔３ｃを開設する。
【００５０】
またこの例では、スノーボード本体１の取付けに接着剤５を採用するが、他の固止手段、例えば、止め具、挾持具等の場合もあり得る。そして、剥離紙８は、接着剤５及び／又は弾性体３０１の保護にある。またこの振動吸収兼補強板３をスノーボード本体１に取付ける際に、剥離紙８を取外し、接着剤５を露出した状態で、この接着剤５の垂れ及び／又は機能の低下を回避しながら、取付ける。この取付けの際に、剥離紙８は有効である。
【００５１】
尚、この細幅帯部３０２、３０３を形成することで、この細幅帯部３０２、３０３と、振動吸収兼補強板３の略中心部の広幅な本体３００及び／又は該振動吸収兼補強板３に開設した孔３ｃとのバランス感覚が達成されることから、例えば、このスノーボード本体１の略全体の撓み及び／又は可撓性を確保できる。また図示しないが、切欠き部３ａ、３ｂを設けない構成では、前記スノーボード本体１の略全体の撓み及び／又は可撓性が幾分劣ることが考えられる。しかし、滑走に全く問題がないことは、実際の設置状況で確認済である。さらにこの一例では、振動吸収兼補強板３をスノーボード本体１の二箇所（ビンディング取付け箇所）に固止する構成及び／又は前述の細幅帯部３０２、３０３等を形成する構成であり、スノーボード本体１の略全体の撓み及び／又は可撓性の向上に極めて有効であり、また実際の設置状況で確認済である。またこの各細幅帯部３０２、３０３は、振動吸収兼補強板３の振動吸収を、徐々に、その中心に伝えることで、この振動吸収兼補強板３への衝撃の緩和と、確実かつスムーズな振動吸収が図れる等の利点がある。そして、この振動吸収兼補強板３の前後方向の自由端側の長さを、長短・幅員及び／又は形態（図示せず）を異にすることで、各人の好みと、スノーボードの特性を発揮できる有益性がある。そして、この各細幅帯部３０２、３０３が対の場合には、前述の特徴が、十分発揮できる。
【００５２】
また振動吸収兼補強板３の略中心部にはビンディング取付け板４を嵌入できる孔３ｃを開設し、そして、この部位に相当するスノーボード本体１に設けられた複数の小孔２と、この小孔２に螺入される複数の止ネジ６を介して、該部位にビンディング取付け板４を固止する。尚、この小孔２の構造は、図示の如く、二つの箇所に個別に設けたパターンであって、このパターンを利用して、好みの脚間を確保する。これにより、例えば、確実・容易・安全な滑走を確保し、また身体に易しい滑走が確保できる等の実用性がある。またこの二つのパターンを利用することで、多数な使用態様と、汎用性の向上等が確保できる。尚、図６の如く、振動吸収兼補強板３とビンディング取付け板４との間に空間Ｈを形成することで、この振動吸収兼補強板３及び／又はスノーボード本体１の振動吸収と、可撓性の確保、または捩れに対する有効性の確保等に役立つことから、積極的に設けることが望ましいが、限定されない。また、この振動吸収兼補強板３とスノーボード本体１との幅方向に、図示の如く、間隔Ｈ１を設ける構成の例では、前述の空間Ｈと同じような機能が発揮できる。
【００５３】
また図３に示すように、ビンディング取付け板４には、複数の止ネジ６を挿入するための孔４０が複数開設されている。この孔４０と止ネジ６とで、このビンディング取付け板４をスノーボード本体１に確実・強固に取付け得ること、またこのスノーボード本体１にビンディング取付け板４を取付ける際に、この取付け位置を自由に変更できること等の実用性がある。
【００５４】
そして、この図１〜図７に示した第一の実施例では、スノーボード本体１に分割された振動吸収兼補強板３をそれぞれ取付け、この各振動吸収兼補強板３の孔３ｃに、ビンディング取付け板４をそれぞれ嵌入し、この各ビンディング取付け板４は止ネジ６を介してスノーボード本体１にそれぞれ取付けられる。そして、この取付けた状態は、図６に示したＡ−Ａ断面図である。この各ビンディング取付け板４にビンディング１０がそれぞれ設けられる。この状態で、滑走すると、前述の如く、振動吸収兼補強板３の構成及び／又は形状とを介して振動吸収と、スノーボード本体１の補強が達成される効果がある。
【００５５】
次に、本発明の第二の実施例を、図８〜図１０を基に説明する。この一例で、１はビンディング取付け用の複数の小孔２を、二箇所に有するスノーボード本体で、このスノーボード本体１は従来の構造と略同じである。そして、この他の一例では、スノーボード本体１に振動吸収兼補強板１３とビンディング取付け板４を設けるが、この例では振動吸収兼補強板１３を接着剤１５で固止し、またビンディング取付け板４は前記小孔２に螺入した止ネジ６で固止する。この振動吸収兼補強板１３は、アルミ、ステンレス、複合材等の鋼材でなる本体１３００と、この本体１３００の下方に設けられるゴム、スポンジ等の弾性体１３０１とでなる複合構造であり、この弾性体１３０１の下方に接着剤１５を設け、この接着剤１５を介して、この振動吸収兼補強板１３をスノーボード本体１に固止する構成である。尚、接着剤１５の剥離側に剥離紙１８を設ける。そして、この振動吸収兼補強板１３には、切欠き部１３ａ、１３ｂを設けて、その自由端に細幅帯部１３０２、１３０３を形成し、またその略中央部にビンディング取付け板４を嵌入できる対の孔１３ｃを開設する。そして、この振動吸収兼補強板１３は一体構造であり、スノーボードに一枚取付けられる構成である。従って、前記対の孔１３ｃには各ビンディング取付け板４がそれぞれ嵌入され、かつ止ネジ６を介して固止される。そして、他の構成と、それぞれの効果は、前述の一例に略準ずる。
【００５６】
尚、この他の一例では、一体構成であるので、取付け及び／又は保管、メンテナンス等の簡易化が図れることは有り得る。またこの各細幅帯部１３０２、１３０３の特徴は、略前述の各細幅帯部３０２、３０３に準ずる。そして、この一例では、この振動吸収兼補強板１３は一体構造であり、構造の簡略化、コストの低廉化、又は破損の減少化等が考えられる。
【００５７】
そして、本発明の第三の実施例を、図１１〜図１３を基に説明する。この一例では、１はスノーボード本体で、このスノーボード本体１は、基本となる本体基部１００と、この本体基部１００の上方を被覆する本体表面部１０１とで構成する。そして、この本体表面部１０１には、ビンディング取付け用の複数の小孔２を開設する。またこの本体基部１００には、アルミ、ステンレス、複合材等の鋼材でなる振動吸収兼補強板３を埋設する凹部１０２を設ける。尚、この振動吸収兼補強板３を凹部１０２に埋設する構造には、例えば、振動吸収兼補強板３を、本体基部１００に、面一状態に設ける構造、また振動吸収兼補強板３を、本体基部１００の全体及び／又は一部に貼付ける構造等も含む。そして、この振動吸収兼補強板３の構造は、前述の例に準ずる。
【００５８】
この実施例では、凹部１０２（本体基部１００の表面を含む）に、分割された振動吸収兼補強板３を、接着、嵌合、固定等の手段を介してそれぞれ設け、この振動吸収兼補強板３の上方に、本体表面部１０１を、接着、嵌合、固定等の手段を介して設けてスノーボードを構成する。そして、この本体表面部１０１にビンディング１０を設ける。
【００５９】
そして、この実施例では、この振動吸収兼補強板３を、スノーボード本体１に埋設することで、この振動吸収兼補強板３への衝撃の緩和と、確実かつスムーズな振動吸収が図れ、きわめて有益であり、またこの振動吸収兼補強板３の剥離、破損等の問題が生じない。またスノーボードの体裁もよい。そして、この振動吸収兼補強板３及び／又は細幅帯部３０２、３０３、ビンディング取付け板４等の他の構造は、前述の例に準ずる。
【００６０】
さらに、本発明の第四の実施例を、図１４を基に説明する。この一例は、前述の第三の実施例に準ずる。その相違点は、振動吸収兼補強板１３が一体構造であり、前述の第二の例の振動吸収兼補強板１３に準ずる。換言すると、この一例は、第三の実施例と、第二の実施例の振動吸収兼補強板１３とを利用した構造である。従って、その特徴は、第三の実施例と、第二の実施例の振動吸収兼補強板１３とに準ずる。
【図面の簡単な説明】
【００６１】
【図１】図１は本発明の第一の実施例を示した全体の斜視図
【図２】図２は振動吸収兼補強板の拡大斜視図
【図３】図３はビンディング取付け板の拡大斜視図
【図４】図４はスノーボードの斜視図
【図５】図５はスノーボードに振動吸収兼補強板とビンディング取付け板を設けた一例を示した斜視図
【図６】図６は図５のＡ−Ａ断面図
【図７】図７は振動吸収兼補強板を一部欠截した拡大斜視図
【図８】図８は本発明の第二の実施例を示した全体の斜視図
【図９】図９は他の一例の振動吸収兼補強板の拡大斜視図
【図１０】図１０はスノーボードに振動吸収兼補強板とビンディング取付け板を設けた他の一例を示した拡大斜視図
【図１１】図１１は本発明の全体の第三の実施例を示した斜視図
【図１２】図１２は図１１の要部の分解斜視図
【図１３】図１３は図１１の要部のＡ−Ａ断面図
【図１４】図１４は、本発明の第四の実施例を示した要部の分解斜視図
【図１５】図１５は従来のスノーボードの一例を示した斜視図
【符号の説明】
【００６２】
１            スノーボード本体
１００        本体基部
１０１        本体表面部
１０２        凹部
２            小孔
３            振動吸収兼補強板
３００        本体
３０１        弾性体
３０２        細幅帯部
３０３        細幅帯部
３ａ          切欠き部
３ｂ          切欠き部
３ｃ          孔
４            ビンディング取付け板
４０          孔
５            接着剤
６            止ネジ
８            剥離紙
１０          ビンディング
１３          振動吸収兼補強板
１３００      本体
１３０１      弾性体
１３０２      細幅帯部
１３０３      細幅帯部
１３ａ        切欠き部
１３ｂ        切欠き部
１３ｃ        孔
１５          接着剤
１８          剥離紙
Ｈ            空間
Ｈ１          間隔
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
スノーボード本体の表面に取付けられる振動吸収兼補強板は、アルミ、ステンレス、複合材等の鋼材と、ゴム、スポンジ等の弾性体とでなる複合構造であり、その略中央にビンディング取付け板を嵌入できる孔を開設し、またこの振動吸収兼補強板におけるスノーボード本体の長手方向の自由端側に、当該振動吸収兼補強板に弾性を付与する切欠き部を開設する構成としたスノーボードの振動吸収兼補強板であって、
前記振動吸収兼補強板の孔とビンディング取付け板との間であって、前記スノーボード本体の幅方向において、空間を形成することを特徴としたスノーボードの振動吸収兼補強板。
【請求項２】
請求項１に記載のスノーボードの振動吸収兼補強板であって、
このスノーボード本体に設けた振動吸収兼補強板の厚みを、前記ビンディング取付け板の厚みより若干薄く構成したスノーボードの振動吸収兼補強板。
【請求項３】
請求項１に記載のスノーボードの振動吸収兼補強板であって、
この振動吸収兼補強板を二枚に区画し、この二枚の振動吸収兼補強板を、前記スノーボードのビンディング部位に、それぞれ区画して設置する構成としたスノーボードの振動吸収兼補強板。
【請求項４】
請求項１に記載のスノーボードの振動吸収兼補強板であって、
この振動吸収兼補強板を、一枚構造とし、この振動吸収兼補強板を、前記スノーボードのビンディング部位に、差渡し設置する構成としたスノーボードの振動吸収兼補強板。
【請求項５】
請求項３に記載のスノーボードの振動吸収兼補強板であって、
この振動吸収兼補強板におけるスノーボード本体の長手方向の自由端側に、略凹部形状の切欠き部を形成することにより、細幅帯部を形成し、また振動吸収兼補強板の略中央に略楕円形状の孔を形成する構成としたスノーボードの振動吸収兼補強板。
【請求項６】
スノーボード本体の本体基部の表面に、アルミ、ステンレス、複合材等の鋼材と、ゴム、スポンジ等の弾性体でなる振動吸収兼補強板を設け、この振動吸収兼補強板の上方に、ビンディングを取付ける小孔を開設したスノーボード本体の本体表面部を設けたスノーボードであって、
この振動吸収兼補強板の略中央にビンディング取付け板を嵌入できる孔を開設し、またこの振動吸収兼補強板におけるスノーボード本体の長手方向の自由端側に、当該振動吸収兼補強板に弾性を付与するための長短の長さとなった切欠き部を開設し、
また前記振動吸収兼補強板の孔とビンディング取付け板との間であって、前記スノーボード本体の幅方向において、空間を形成することを特徴としたスノーボード。
【請求項７】
請求項６に記載のスノーボードであって、
この振動吸収兼補強板を二枚に区画し、この二枚の振動吸収兼補強板を、前記スノーボードのビンディング部位に、それぞれ区画して設置する構成としたスノーボード。
【請求項８】
請求項６に記載のスノーボードであって、
この振動吸収兼補強板を、一枚構造とし、この振動吸収兼補強板を、前記スノーボードのビンディング部位に、差渡し設置する構成としたスノーボード。
【手続補正２】
【補正対象書類名】明細書
【補正対象項目名】全文
【補正方法】変更
【補正の内容】
【発明の詳細な説明】
【技術分野】
【０００１】
本発明は、振動（衝撃）及び／又は耐久性に優れたスノーボードの振動吸収兼補強板と、この振動吸収兼補強板を埋設したスノーボードに関する。
【背景技術】
【０００２】
周知の如く、スノーボードの滑走（滑降）中は、地面及び／又は雪面（雪面とする）の凹凸、傾斜、ギャップ等の変化と、滑走者の姿勢等により、このスノーボードに対する振動（衝撃）は区々であり、場合によっては、その振動の程度は計り知れない。それがために、スノーボードの破損、場合により、怪我、殺傷等の人身事故の発生等の由々しき問題も発生する可能性がある。またスノーボードを撓ませる等の技術を介して滑走し、その滑走方向の変更、調節等を図ることで、滑走に基づく、スピード感・爽快感の達成と、走行姿勢・スピード等が確保できる。
【０００３】
このような使用を図る場合には、スノーボードの強靭性と、復帰性（戻り）と、振動吸収（衝撃吸収）性等が要求される。それがために、このスノーボードに振動吸収（衝撃吸収）手段を装着したり、また補強板を装着したりすることが一部で実行されている。そして、これに関する先行文献も数件見当たる。この先行文献を以下に説明する。
【０００４】
文献（１）は、特開２０００−６１０２２の「スキー板、スノーボードと靴の締め具との間に装着する復元力補助装置」がある。この発明は、スノーボードに装着される対のプラットホームであって、このプラットホームの中間に復元力ブロックを介在するとともに、この復元力ブロックに振動吸収又は復元力補助層を設け、この振動吸収又は復元力補助層を利用してビス止めする構成であり、雪面からの振動が付与されても、スノーボード及び／又は滑走者に対する振動の吸収と、このスノーボード及び／又は滑走者の保護、破損、怪我等を回避することを意図する。
【０００５】
また文献（２）は、特開２００６−４６０の「スノーボード用補強プレート及びスノーボード」がある。この発明は、スノーボードのトーション、フレックスを補強するためのスノーボード用補強プレートであって、ビンディングをスノーボードに取付ける取付用孔を備えた中央補強板と、この中央補強板の両自由側端（スノーボードの前進及び後進方向端）から延設された中央方向補強板と、前記中央補強板の両幅側端（スノーボードの幅方向端）から延設され、かつ前記自由側端に間隔を置いて対で設けた放射状補強板とからなる構成であり、スノーボードのフレックス及びトーションをスノーボードに適した補強にすること、またこの補強を介してスノーボードの強度の向上を図ること等を意図する。そして、この補強を介して大きな脚力でスノーボードを操作可能となり、また容易にターンを繰り返し可能となり有益であること等を意図する。
【０００６】
【特許文献１】特開２０００−６１０２２
【特許文献２】特開２００６−４６０
【発明の開示】
【発明が解決しようとする課題】
【０００７】
文献（１）は、スノーボード本体（原則として、本体とする）に、適宜間隔をおいてプラットホームを併設し、この間隔にビンディング取付け板（ビンディング取付け部材）を設ける構成である。確かに、本体に、適宜間隔をおいてプラットホームを併設することは便利であり、合理的である等の特徴を有する。しかし、この構成では、対のプラットホームに対する衝撃（振動）が区々になり易く、滑走者に思わぬ不具合を与えること、これが起因して転倒及び／又は事故が発生すること等が考えられる問題点がある。また本体に、適宜間隔をおいてプラットホームを併設することは便利であるが、取付けに経験と、神経を要し、さらに使用中、また使用後のメンテナンスも注意する必要があり、殊のほか面倒であることが考えられる。尚、この文献（１）では、振動除去、復元力補助層をプラットホームの中間に設ける構成であり、一箇所の振動吸収に留まる可能性があり、この振動吸収をスノーボードの全体に好影響を与えるまでには至っていないものと考えられる。
【０００８】
また文献（２）は、スノーボード用補強プレート（原則として補強プレートとする）が、中央補強部と、中心方向補強部並びに放射状補強部で構成されているので、この補強プレートが、スノーボードから剥離した場合には、大変危険であり、怪我、殺傷等の思いもかけぬ人身事故を引き起こす虞がある。またこの文献（２）では、単なる補強板の概念（荷重に対する備え）であって、振動吸収の効果は、期待できなく、一面的な改良に留まっているものと考えられる。尚、この文献（２）は、［０００５］に「ターン時において、ターンをし易いように撓んだり捻れたりし難いため、初級のスノーボーダーにとっては、大きなフレックス及びトーションのスノーボードはターン時において操作し難いものである」との記述があるが、かえって、スノーボートはこのような状況においては、雪面に馴染んで変化する構成を備えているほうが、安全性、技術の向上等に有益であると考えられる。従って、スノーボードの補強のみを意図する構成は、少なからず問題を抱えているものと思われ、その改良の余地がある。
【課題を解決するための手段】
【０００９】
請求項１の発明は、スノーボード本体（本体とする）に振動吸収兼補強板を取付けることで、各雪面の形態に対応して、本体にかかる荷重（捻り、撓み、破損等）、振動（衝撃）に対して有効に機能すること、滑走者に対する荷重、振動等の外的要件による不具合を解消すること、また前述の特徴を利用し、滑走技術の向上と、スキー競技をエンジョイすること等を意図する。
【００１０】
また請求項１の発明は、本体に振動吸収兼補強板を取付けることで、スノーボードの強度、耐久性等の向上と、過酷な使用においても、これらの条件に対応可能とすること等を意図する。
【００１１】
そして、請求項１の発明は、本体に簡易、かつ確実に取付けて、何人も、本発明の特徴を達成し、その効果を有効利用できるスノーボードの振動吸収兼補強板及び／又は振動吸収兼補強板を備えたスノーボードを提供することを意図する。
【００１２】
請求項１は、スノーボード本体の表面に取付けられる振動吸収兼補強板は、アルミ、ステンレス、複合材等の鋼材と、ゴム、スポンジ等の弾性体とでなる複合構造であり、その略中央にビンディング取付け板を嵌入できる孔を開設し、またこの振動吸収兼補強板におけるスノーボード本体の長手方向の自由端側に、当該振動吸収兼補強板に弾性を付与する切欠き部を開設する構成としたスノーボードの振動吸収兼補強板であって、
前記振動吸収兼補強板の孔とビンディング取付け板との間であって、前記スノーボード本体の幅方向において、空間を形成することを特徴としたスノーボードの振動吸収兼補強板である。
【００１３】
請求項２の発明は、請求項１の目的を達成すること、この目的を達成するのに最適な振動吸収兼補強板を提供することを意図する。
【００１４】
請求項２は、請求項１に記載のスノーボードの振動吸収兼補強板であって、
この本体に設けた振動吸収兼補強板の厚みを、前記ビンディング取付け板の厚みより若干薄く構成したスノーボードの振動吸収兼補強板である。
【００１５】
請求項３の発明は、請求項１の目的を達成すること、この目的を達成するのに最適な分割方式の振動吸収兼補強板を提供することを意図する。
【００１６】
請求項３は、請求項１に記載のスノーボードの振動吸収兼補強板であって、
この振動吸収兼補強板を二枚に区画し、この二枚の振動吸収兼補強板を、前記スノーボードのビンディング部位に、それぞれ区画して設置する構成としたスノーボードの振動吸収兼補強板である。
【００１７】
請求項４の発明は、請求項１の目的を達成すること、この目的を達成するのに最適で、簡易な振動吸収兼補強板を提供することを意図する。
【００１８】
請求項４は、請求項１に記載のスノーボードの振動吸収兼補強板であって、
この振動吸収兼補強板を、一枚構造とし、この振動吸収兼補強板を、前記スノーボードのビンディング部位に、差渡し設置する構成としたスノーボードの振動吸収兼補強板である。
【００１９】
請求項５の発明は、請求項３の目的を達成すること、この目的を達成するのに最適で、弾性的で振動の吸収が可能な振動吸収兼補強板を提供することを意図する。
【００２０】
請求項５は、請求項３に記載のスノーボードの振動吸収兼補強板であって、
この振動吸収兼補強板におけるスノーボード本体の長手方向の自由端側に、略凹部形状の切欠き部を形成することにより、細幅帯部を形成し、また振動吸収兼補強板の略中央に略楕円形状の孔を形成する構成としたスノーボードの振動吸収兼補強板である。
【００２１】
請求項６の発明は、本体に埋設するように振動吸収兼補強板を取付けることで、各雪面の形態に対応して、本体にかかる荷重（捻り、撓み、破損等）、振動（衝撃）に対して有効に機能すること、滑走者に対する荷重、振動等の外的要件による不具合を解消すること、前述の特徴を利用し、例えば、滑走技術の向上と、スキー競技をエンジョイすること等を意図する。
【００２２】
また請求項６の発明は、本体に埋設するように振動吸収兼補強板を取付けることで、スノーボードの強度、耐久性等の向上と、過酷な使用においても、これらの条件に対応可能とすること等を意図する。
【００２３】
請求項６は、スノーボード本体基部の本体基部の表面に、アルミ、ステンレス、複合材等の鋼材と、ゴム、スポンジ等の弾性体でなる振動吸収兼補強板を設け、この振動吸収兼補強板の上方に、ビンディングを取付ける小孔を開設したスノーボード本体の本体表面部を設けたスノーボードであって、
この振動吸収兼補強板の略中央にビンディング取付け板を嵌入できる孔を開設し、またこの振動吸収兼補強板におけるスノーボード本体の長手方向の自由端側に、当該振動吸収兼補強板に弾性を付与するための長短の長さとなった切欠き部を開設し、
また前記振動吸収兼補強板の孔とビンディング取付け板との間であって、前記スノーボード本体の幅方向において、空間を形成することを特徴としたスノーボードである。
【００２４】
請求項７の発明は、請求項６の目的を達成すること、この目的を達成するのに最適なスノーボードを提供することを意図する。
【００２５】
請求項７は、請求項６に記載のスノーボードであって、
この振動吸収兼補強板を二枚に区画し、この二枚の振動吸収兼補強板を、前記スノーボードのビンディング部位に、それぞれ区画して設置する構成としたスノーボードである。
【００２６】
請求項８の発明は、請求項６の目的を達成すること、この目的を達成するのに最適なスノーボードを提供することを意図する。
【００２７】
請求項８は、請求項６に記載のスノーボードであって、
この振動吸収兼補強板を、一枚構造とし、この振動吸収兼補強板を、前記スノーボードのビンディング部位に、差渡し設置する構成としたスノーボードである。
【発明の効果】
【００２８】
請求項１の発明は、スノーボード本体の表面に取付けられる振動吸収兼補強板は、アルミ、ステンレス、複合材等の鋼材と、ゴム、スポンジ等の弾性体とでなる複合構造であり、略中央にビンディング取付け板を嵌入できる孔を開設し、また振動吸収兼補強板におけるスノーボード本体の長手方向の自由端側に、振動吸収兼補強板に弾性を付与する切欠き部を開設する構成としたスノーボードの振動吸収兼補強板であって、
振動吸収兼補強板の孔とビンディング取付け板との間であって、スノーボード本体の幅方向において、空間を形成するスノーボードの振動吸収兼補強板である。
【００２９】
従って、請求項１は、本体に振動吸収兼補強板を取付けることで、各雪面の形態に対応して、本体にかかる荷重（捻り、撓み、破損等）、振動に対して有効に機能できること、滑走者に対する荷重、振動等の外的要件による不具合を解消できること、前述の特徴を利用し、例えば、滑走技術の向上と、スキー競技をエンジョイできること等の特徴を有する。
【００３０】
また請求項１は、本体に振動吸収兼補強板を取付けることで、
スノーボードの強度、耐久性等の向上と、過酷な使用においても、これらの条件に対応可能となること等の特徴を有する。
【００３１】
そして、請求項１は、本体に簡易、かつ確実に取付けて、何人も、本発明の特徴を達成し、その効果を有効利用できるスノーボードの振動吸収兼補強板及び／又は振動吸収兼補強板を備えたスノーボードを提供できること等の特徴を有する。
【００３２】
請求項２の発明は、請求項１に記載のスノーボードの振動吸収兼補強板であって、
本体に設けた振動吸収兼補強板の厚みを、ビンディング取付け板の厚みより若干薄く構成したスノーボードの振動吸収兼補強板である。
【００３３】
従って、請求項２は、請求項１の目的を達成できること、この目的を達成するのに最適な振動吸収兼補強板を提供できること等の特徴を有する。
【００３４】
請求項３の発明は、請求項１に記載のスノーボードの振動吸収兼補強板であって、
振動吸収兼補強板を二枚に区画し、二枚の振動吸収兼補強板を、スノーボードのビンディング部位に、それぞれ区画して設置する構成としたスノーボードの振動吸収兼補強板である。
【００３５】
従って、請求項３は、請求項１の目的を達成できること、この目的を達成するのに最適な分割方式の振動吸収兼補強板を提供できること等の特徴を有する。
【００３６】
請求項４の発明は、請求項１に記載のスノーボードの振動吸収兼補強板であって、
振動吸収兼補強板を、一枚構造とし、振動吸収兼補強板を、スノーボードのビンディング部位に、差渡し設置する構成としたスノーボードの振動吸収兼補強板である。
【００３７】
従って、請求項４は、請求項１の目的を達成できること、この目的を達成するのに最適で、簡易な振動吸収兼補強板を提供できること等の特徴を有する。
【００３８】
請求項５の発明は、請求項３に記載のスノーボードの振動吸収兼補強板であって、
振動吸収兼補強板におけるスノーボード本体の長手方向の自由端側に、略凹部形状の切欠き部を形成することにより、細幅帯部を形成し、また振動吸収兼補強板の略中央に略楕円形状の孔を形成する構成としたスノーボードの振動吸収兼補強板である。
【００３９】
従って、請求項５は、請求項３の目的を達成できること、この目的を達成するのに最適で、弾性的で振動の吸収が可能な振動吸収兼補強板を提供できること等の特徴を有する。
【００４０】
請求項６の発明は、スノーボード本体の本体基部の表面に、アルミ、ステンレス、複合材等の鋼材と、ゴム、スポンジ等の弾性体でなる振動吸収兼補強板を設け、振動吸収兼補強板の上方に、ビンディングを取付ける小孔を開設したスノーボード本体の本体表面部を設けたスノーボードであって、
振動吸収兼補強板の略中央にビンディング取付け板を嵌入できる孔を開設し、また振動吸収兼補強板におけるスノーボード本体の長手方向の自由端側に、振動吸収兼補強板に弾性を付与するための長短の長さとなった切欠き部を開設し、
また振動吸収兼補強板の孔とビンディング取付け板との間であって、スノーボード本体の幅方向において、空間を形成するスノーボードである。
【００４１】
従って、請求項６は、本体に埋設するように振動吸収兼補強板を取付けることで、各雪面の形態に対応して、本体にかかる荷重（捻り、撓み、破損等）、振動（衝撃）に対して有効に機能できること、滑走者に対する荷重、振動等の外的要件による不具合を解消できること、前述の特徴を利用し、例えば、滑走技術の向上と、スキー競技をエンジョイできること等の特徴を有する。
【００４２】
また請求項６は、本体に埋設するように振動吸収兼補強板を取付けることで、スノーボードの強度、耐久性等の向上と、過酷な使用においても、これらの条件に対応可能となること等の特徴を有する。
【００４３】
請求項７の発明は、請求項６に記載のスノーボードであって、
振動吸収兼補強板を二枚に区画し、この二枚の振動吸収兼補強板を、スノーボードのビンディング部位に、それぞれ区画して設置する構成としたスノーボードである。
【００４４】
従って、請求項７は、請求項６の目的を達成できること、この目的を達成するのに最適なスノーボードを提供できること等の特徴を有する。
【００４５】
請求項８の発明は、請求項６に記載のスノーボードであって、
振動吸収兼補強板を、一枚構造とし、この振動吸収兼補強板を、前記スノーボードのビンディング部位に、差渡し設置する構成としたスノーボードである。
【００４６】
従って、請求項８は、請求項６の目的を達成できること、この目的を達成するのに最適なスノーボードを提供できること等の特徴を有する。
【発明を実施するための最良の形態】
【００４７】
以下、本発明の実施の態様（形態）を説明する。
【００４８】
図面の説明をすると、図１〜図７は、本発明の第一の実施例を示しており、図１は全体の斜視図、図２は振動吸収兼補強板の拡大斜視図、図３はビンディング取付け板の拡大斜視図、図４はスノーボードの斜視図、図５はスノーボードに振動吸収兼補強板とビンディング取付け板を設けた一例を示した斜視図、図６は図５のＡ−Ａ断面図、図７は振動吸収兼補強板を一部欠截した拡大斜視図である。また図８〜図１０は、本発明の第二の実施例を示しており、図８は全体の斜視図、図９は他の一例の振動吸収兼補強板の拡大斜視図、図１０はスノーボードに振動吸収兼補強板とビンディング取付け板を設けた他の一例を示した斜視図である。そして、図１１〜図１３は、本発明の第三の実施例を示しており、図１１は全体の斜視図、図１２は図１１の要部の分解斜視図、図１３は図１１の要部のＡ−Ａ断面図である。図１４は、本発明の第四の実施例を示した要部の分解斜視図である。最後に、図１５は従来のスノーボードの一例を示した斜視図である。
【００４９】
以下、本発明の第一の実施例を、図１〜図７を基に説明する。この一例では、１はビンディング取付け用の複数の小孔２を、二箇所に有するスノーボード本体で、このスノーボード本体１は従来の構造と略同じである。そして、この一例では、スノーボード本体１に振動吸収兼補強板３とビンディング取付け板４を設けるが、この例では振動吸収兼補強板３を接着剤５で固止し、またビンディング取付け板４は前記小孔２に螺入した止ネジ６で固止する。この振動吸収兼補強板３は、アルミ、ステンレス、複合材等の鋼材でなる本体３００と、この本体３００の下方に設けられるゴム、スポンジ等の弾性体３０１とでなる複合構造であり、この弾性体３０１の下方に接着剤５を設け、この接着剤５を介して、この振動吸収兼補強板３をスノーボード本体１に固止する構成である。尚、接着剤５の剥離側に剥離紙８を設ける。そして、この振動吸収兼補強板３には、切欠き部３ａ、３ｂを設けて、その長手方向（矢印「イ」）の自由端に細幅帯部３０２、３０３を形成し、またその略中央部にビンディング取付け板４を嵌入できる孔３ｃを開設する。
【００５０】
またこの例では、スノーボード本体１の取付けに接着剤５を採用するが、他の固止手段、例えば、止め具、挾持具等の場合もあり得る。そして、剥離紙８は、接着剤５及び／又は弾性体３０１の保護にある。またこの振動吸収兼補強板３をスノーボード本体１に取付ける際に、剥離紙８を取外し、接着剤５を露出した状態で、この接着剤５の垂れ及び／又は機能の低下を回避しながら、取付ける。この取付けの際に、剥離紙８は有効である。
【００５１】
尚、この細幅帯部３０２、３０３を形成することで、この細幅帯部３０２、３０３と、振動吸収兼補強板３の略中心部の広幅な本体３００及び／又は該振動吸収兼補強板３に開設した孔３ｃとのバランス感覚が達成されることから、例えば、このスノーボード本体１の略全体の撓み及び／又は可撓性を確保できる。また図示しないが、切欠き部３ａ、３ｂを設けない構成では、前記スノーボード本体１の略全体の撓み及び／又は可撓性が幾分劣ることが考えられる。しかし、滑走に全く問題がないことは、実際の設置状況で確認済である。さらにこの一例では、振動吸収兼補強板３をスノーボード本体１の二箇所（ビンディング取付け箇所）に固止する構成及び／又は前述の細幅帯部３０２、３０３等を形成する構成であり、スノーボード本体１の略全体の撓み及び／又は可撓性の向上に極めて有効であり、また実際の設置状況で確認済である。またこの各細幅帯部３０２、３０３は、振動吸収兼補強板３の振動吸収を、徐々に、その中心に伝えることで、この振動吸収兼補強板３への衝撃の緩和と、確実かつスムーズな振動吸収が図れる等の利点がある。そして、この振動吸収兼補強板３の前後方向の自由端側の長さを、長短・幅員及び／又は形態（図示せず）を異にすることで、各人の好みと、スノーボードの特性を発揮できる有益性がある。そして、この各細幅帯部３０２、３０３が対の場合には、前述の特徴が、十分発揮できる。
【００５２】
また振動吸収兼補強板３の略中心部にはビンディング取付け板４を嵌入できる孔３ｃを開設し、そして、この部位に相当するスノーボード本体１に設けられた複数の小孔２と、この小孔２に螺入される複数の止ネジ６を介して、該部位にビンディング取付け板４を固止する。尚、この小孔２の構造は、図示の如く、二つの箇所に個別に設けたパターンであって、このパターンを利用して、好みの脚間を確保する。これにより、例えば、確実・容易・安全な滑走を確保し、また身体に易しい滑走が確保できる等の実用性がある。またこの二つのパターンを利用することで、多数な使用態様と、汎用性の向上等が確保できる。尚、図６の如く、振動吸収兼補強板３とビンディング取付け板４との間に空間Ｈを形成することで、この振動吸収兼補強板３及び／又はスノーボード本体１の振動吸収と、可撓性の確保、または捩れに対する有効性の確保等に役立つことから、積極的に設けることが望ましいが、限定されない。また、この振動吸収兼補強板３とスノーボード本体１との幅方向に、図示の如く、間隔Ｈ１を設ける構成の例では、前述の空間Ｈと同じような機能が発揮できる。
【００５３】
また図３に示すように、ビンディング取付け板４には、複数の止ネジ６を挿入するための孔４０が複数開設されている。この孔４０と止ネジ６とで、このビンディング取付け板４をスノーボード本体１に確実・強固に取付け得ること、またこのスノーボード本体１にビンディング取付け板４を取付ける際に、この取付け位置を自由に変更できること等の実用性がある。
【００５４】
そして、この図１〜図７に示した第一の実施例では、スノーボード本体１に分割された振動吸収兼補強板３をそれぞれ取付け、この各振動吸収兼補強板３の孔３ｃに、ビンディング取付け板４をそれぞれ嵌入し、この各ビンディング取付け板４は止ネジ６を介してスノーボード本体１にそれぞれ取付けられる。そして、この取付けた状態は、図６に示したＡ−Ａ断面図である。この各ビンディング取付け板４にビンディング１０がそれぞれ設けられる。この状態で、滑走すると、前述の如く、振動吸収兼補強板３の構成及び／又は形状とを介して振動吸収と、スノーボード本体１の補強が達成される効果がある。
【００５５】
次に、本発明の第二の実施例を、図８〜図１０を基に説明する。この一例で、１はビンディング取付け用の複数の小孔２を、二箇所に有するスノーボード本体で、このスノーボード本体１は従来の構造と略同じである。そして、この他の一例では、スノーボード本体１に振動吸収兼補強板１３とビンディング取付け板４を設けるが、この例では振動吸収兼補強板１３を接着剤１５で固止し、またビンディング取付け板４は前記小孔２に螺入した止ネジ６で固止する。この振動吸収兼補強板１３は、アルミ、ステンレス、複合材等の鋼材でなる本体１３００と、この本体１３００の下方に設けられるゴム、スポンジ等の弾性体１３０１とでなる複合構造であり、この弾性体１３０１の下方に接着剤１５を設け、この接着剤１５を介して、この振動吸収兼補強板１３をスノーボード本体１に固止する構成である。尚、接着剤１５の剥離側に剥離紙１８を設ける。そして、この振動吸収兼補強板１３には、切欠き部１３ａ、１３ｂを設けて、その自由端に細幅帯部１３０２、１３０３を形成し、またその略中央部にビンディング取付け板４を嵌入できる対の孔１３ｃを開設する。そして、この振動吸収兼補強板１３は一体構造であり、スノーボードに一枚取付けられる構成である。従って、前記対の孔１３ｃには各ビンディング取付け板４がそれぞれ嵌入され、かつ止ネジ６を介して固止される。そして、他の構成と、それぞれの効果は、前述の一例に略準ずる。
【００５６】
尚、この他の一例では、一体構成であるので、取付け及び／又は保管、メンテナンス等の簡易化が図れることは有り得る。またこの各細幅帯部１３０２、１３０３の特徴は、略前述の各細幅帯部３０２、３０３に準ずる。そして、この一例では、この振動吸収兼補強板１３は一体構造であり、構造の簡略化、コストの低廉化、又は破損の減少化等が考えられる。
【００５７】
そして、本発明の第三の実施例を、図１１〜図１３を基に説明する。この一例では、１はスノーボード本体で、このスノーボード本体１は、基本となる本体基部１００と、この本体基部１００の上方を被覆する本体表面部１０１とで構成する。そして、この本体表面部１０１には、ビンディング取付け用の複数の小孔２を開設する。またこの本体基部１００には、アルミ、ステンレス、複合材等の鋼材でなる振動吸収兼補強板３を埋設する凹部１０２を設ける。尚、この振動吸収兼補強板３を凹部１０２に埋設する構造には、例えば、振動吸収兼補強板３を、本体基部１００に、面一状態に設ける構造、また振動吸収兼補強板３を、本体基部１００の全体及び／又は一部に貼付ける構造等も含む。そして、この振動吸収兼補強板３の構造は、前述の例に準ずる。
【００５８】
この実施例では、凹部１０２（本体基部１００の表面を含む）に、分割された振動吸収兼補強板３を、接着、嵌合、固定等の手段を介してそれぞれ設け、この振動吸収兼補強板３の上方に、本体表面部１０１を、接着、嵌合、固定等の手段を介して設けてスノーボードを構成する。そして、この本体表面部１０１にビンディング１０を設ける。
【００５９】
そして、この実施例では、この振動吸収兼補強板３を、スノーボード本体１に埋設することで、この振動吸収兼補強板３への衝撃の緩和と、確実かつスムーズな振動吸収が図れ、きわめて有益であり、またこの振動吸収兼補強板３の剥離、破損等の問題が生じない。またスノーボードの体裁もよい。そして、この振動吸収兼補強板３及び／又は細幅帯部３０２、３０３、ビンディング取付け板４等の他の構造は、前述の例に準ずる。
【００６０】
さらに、本発明の第四の実施例を、図１４を基に説明する。この一例は、前述の第三の実施例に準ずる。その相違点は、振動吸収兼補強板１３が一体構造であり、前述の第二の例の振動吸収兼補強板１３に準ずる。換言すると、この一例は、第三の実施例と、第二の実施例の振動吸収兼補強板１３とを利用した構造である。従って、その特徴は、第三の実施例と、第二の実施例の振動吸収兼補強板１３とに準ずる。
【図面の簡単な説明】
【００６１】
【図１】図１は本発明の第一の実施例を示した全体の斜視図
【図２】図２は振動吸収兼補強板の拡大斜視図
【図３】図３はビンディング取付け板の拡大斜視図
【図４】図４はスノーボードの斜視図
【図５】図５はスノーボードに振動吸収兼補強板とビンディング取付け板を設けた一例を示した斜視図
【図６】図６は図５のＡ−Ａ断面図
【図７】図７は振動吸収兼補強板を一部欠截した拡大斜視図
【図８】図８は本発明の第二の実施例を示した全体の斜視図
【図９】図９は他の一例の振動吸収兼補強板の拡大斜視図
【図１０】図１０はスノーボードに振動吸収兼補強板とビンディング取付け板を設けた他の一例を示した拡大斜視図
【図１１】図１１は本発明の全体の第三の実施例を示した斜視図
【図１２】図１２は図１１の要部の分解斜視図
【図１３】図１３は図１１の要部のＡ−Ａ断面図
【図１４】図１４は、本発明の第四の実施例を示した要部の分解斜視図
【図１５】図１５は従来のスノーボードの一例を示した斜視図
【符号の説明】
【００６２】
１            スノーボード本体
１００        本体基部
１０１        本体表面部
１０２        凹部
２            小孔
３            振動吸収兼補強板
３００        本体
３０１        弾性体
３０２        細幅帯部
３０３        細幅帯部
３ａ          切欠き部
３ｂ          切欠き部
３ｃ          孔
４            ビンディング取付け板
４０          孔
５            接着剤
６            止ネジ
８            剥離紙
１０          ビンディング
１３          振動吸収兼補強板
１３００      本体
１３０１      弾性体
１３０２      細幅帯部
１３０３      細幅帯部
１３ａ        切欠き部
１３ｂ        切欠き部
１３ｃ        孔
１５          接着剤
１８          剥離紙
Ｈ            空間
Ｈ１          間隔